(57)【要約】【課題】径の小さい注出孔を設けることができ、スムーズな蓋閉めと、閉めたときのロックができるキャップを提供する。【解決手段】キャップ本体１と蓋部材２がヒンジ部３を介して連結され、キャップ本体の本体天面板１１に設けられた注出孔１５に、蓋部材に設けられた封止軸２３を挿入して密封するキャップであって、封止軸が、注出孔を塞ぐ円柱部２３１と、円柱部の下に連なり、ヒンジ部側に折れ曲がり、下方に向かって細くなる軸ガイド部２３２を有し、円柱部を注出孔に挿入したときに、折れ曲がって設けられた軸ガイド部が、注出孔の下端のヒンジ部側に当たってロックされる。【選択図】図１
2015081125.tif 000002
【特許請求の範囲】
【請求項１】
キャップ本体と蓋部材がヒンジ部を介して連結され、前記キャップ本体の本体天面板に設けられた注出孔に、前記蓋部材に設けられた封止軸を挿入して密封するキャップであって、
前記封止軸が、前記注出孔を塞ぐ円柱部と、該円柱部の下に連なり、前記ヒンジ部側に折れ曲がり、下方に向かって細くなる軸ガイド部を有し、前記円柱部を前記注出孔に挿入したときに、折れ曲がって設けられた前記軸ガイド部が、前記注出孔の下端の前記ヒンジ部側に当たってロックされることを特徴とするキャップ。
【請求項２】
前記注出孔が、密封部と注出孔ガイド部からなることを特徴とする請求項１に記載のキャップ。
【請求項３】
前記封止軸の先端部が、半球形であることを特徴とする請求項１または２に記載のキャップ。
【発明の詳細な説明】
【技術分野】
【０００１】
本発明は、キャップに関するものである。特に、キャップ本体と蓋部材がヒンジ部を介して連結され、キャップ本体の天面板に設けられた注出孔に、蓋部材に設けられた封止軸を挿入して密封するキャップに関するものである。
【背景技術】
【０００２】
食用油、あるいは、醤油、ソース、ポン酢、ドレッシングなどの液体調味料、台所用洗剤、化粧水、ローションなどの化粧品などを収納する容器本体に取り付けられ、使用されるキャップがある。
【０００３】
キャップには、キャップ本体に設けられた雄螺子と蓋部材の内周面に設けられた雌螺子を螺合して、密封するものもあるが、ワンタッチで開け閉めできるように、キャップ本体と蓋部材がヒンジ部により接続していて、嵌合して密封するヒンジ付きキャップがある。
【０００４】
そして、小口径の注出孔が要求される内容物に対しては、キャップ本体に天面板を設け、天面板に小口径の注出孔を設け、その注出孔に蓋部材から垂下するように設けた封止軸を挿入して密封するキャップがある。
【０００５】
例えば、図６のように、本体天面板１１の中心部に注出孔１５を穿設したキヤツプ本体１と、蓋部材２とを三点ヒンジ機構３ａを介して連結し、蓋部材２下面から垂下した封止軸２３ａを注出孔１５に嵌合させたキヤツプがある（特許文献１）。
【０００６】
このようなキャップの場合、封止軸２３ａは、軸の中心部に空洞部２３４を設けて、下端部２３３ａの外径を太くし、注出孔１５に封止軸２３ａを挿入するときは、空洞部２３４により下端部２３３ａが細く変形して挿入され、注出孔１５を通り過ぎた下端部２３３ａが元の太さに戻って、注出孔１５に封止軸２３ａがロックされる。
【０００７】
この封止軸２３ａに空洞部２３４を設けたキャップの成型では、金型から抜くときに、空洞部２３４を形成させる金型を先に抜いてから、封止軸２３ａの下端部２３３ａの太くなった部分を、空洞部２３４を設けることによって細く変形させて、封止軸２３ａの外形を形成する金型から抜いている。
【０００８】
このため、封止軸２３ａの封止部分２３１ａの外径を細くすることに限界があり、特に、外径が１．３ｍｍ以下にすることは難しかった。これによって、注出孔１５の径の大きさも小さくすることができなかった。
【０００９】
公知文献を以下に示す。
【先行技術文献】
【特許文献】
【００１０】
【特許文献１】実開平１−１７６０５４号公報
【発明の概要】
【発明が解決しようとする課題】
【００１１】
本発明は上記した事情に鑑みてなされたもので、径の小さい注出孔を設けることができ、スムーズな蓋閉めと、閉めたときのロックができるキャップを提供することを課題としている。
【課題を解決するための手段】
【００１２】
本発明は係る課題に鑑みなされたものであり、請求項１の発明は、キャップ本体と蓋部材がヒンジ部を介して連結され、前記キャップ本体の本体天面板に設けられた注出孔に、前記蓋部材に設けられた封止軸を挿入して密封するキャップであって、
前記封止軸が、前記注出孔を塞ぐ円柱部と、該円柱部の下に連なり、前記ヒンジ部側に折れ曲がり、下方に向かって細くなる軸ガイド部を有し、前記円柱部を前記注出孔に挿入したときに、折れ曲がって設けられた前記軸ガイド部が、前記注出孔の下端の前記ヒンジ部側に当たってロックされることを特徴とするキャップである。
【００１３】
本発明の請求項２の発明は、前記注出孔が、密封部と注出孔ガイド部からなることを特徴とする請求項１に記載のキャップである。
【００１４】
本発明の請求項３の発明は、前記封止軸の先端部が、半球形であることを特徴とする請求項１または２に記載のキャップである。
【発明の効果】
【００１５】
本発明のキャップは、径の小さい注出孔を設けることができ、封止軸を注出孔に挿入したとき、スムーズに挿入することができ、挿入後、きちんとロックすることができる。
【００１６】
また、成型に当たっても、ガイド部が下方に向かって細くなっているので、容易に金型から抜くことができる。更には、封止軸に空洞部を形成させる金型を必要としないので金型構造も簡素化できる。
【図面の簡単な説明】
【００１７】
【図１】本発明のキャップの一例を模式的に断面で示した説明図である。
【図２】本発明のキャップの一例の開栓した状態を模式的に断面で示した説明図である。
【図３】本発明のキャップの一例の開栓された状態より密封していく状態１を模式的に断面で示した説明図である。
【図４】本発明のキャップの一例の開栓された状態より密封していく状態２を模式的に断面で示した説明図である。
【図５】本発明のキャップの一例の開栓された状態より密封していく状態３を模式的に断面で示した説明図である。
【図６】従来のキャップの一例を模式的に断面で示した説明図である。
【発明を実施するための形態】
【００１８】
以下本発明を実施するための形態につき説明する。
図１は、本発明のキャップの一例を模式的に断面で示した説明図である。
図２は、本発明のキャップの一例の開栓した状態を模式的に断面で示した説明図である。
【００１９】
本例のキャップは、図１のように、キャップ本体１と蓋部材２がヒンジ部３により連結していて、ヒンジ部３を軸にして蓋部材２を回動させて、図２のように、キャップ本体１から蓋部材２を開けるようになっている。
【００２０】
キャップ本体１には、本体天面板１１と、本体天面板１１の周縁部より下方に向かって、本体周壁１２とが設けられている。この本体周壁１２の一端でヒンジ部３に連結している。本体周壁１２の内面には雌螺子１３が設けられている。
【００２１】
この雌螺子１３により、容器本体４の口部４１の外面に設けられた雄螺子４２に螺合され、容器本体４にキャップ本体１が取り付けられている。本体周壁１２より内側には、イ
ンナーリング１４が本体天面板１１より垂下するように設けられている。
【００２２】
このインナーリング１４は、容器本体４の口部４１にキャップ本体１が螺合されたときに、口部４１の内面にインナーリング１４の外周面が密着し、内容物の液体が漏れないようにしている。
【００２３】
又、本体天面板１１の中央部には、注出孔１５が設けられている。注出孔１５は、下側が円柱型の密封部１５１と、その上端から上に向かって広がる円錐台形の注出孔ガイド部１５２で形成されている。
【００２４】
蓋部材２には、蓋天板２１と、蓋天板２１の周縁部より下方に向かう蓋周壁２２とが設けられている。この蓋周壁２２の一端でヒンジ部３に連結している。又、蓋周壁２２は蓋をしたときに、本体周壁１２の上に来るようになっている。
【００２５】
キャップ天板２の中央部には、封止軸２３が下方に向かって設けられている。封止軸２３は、注出孔１５を塞いで密封する円柱形の円柱部２３１と、円柱部２３１の下に連なり、ヒンジ部３側に折れ曲がり、下方に向かって細くなる軸ガイド部２３２とを有している。
【００２６】
軸ガイド部２３２は、見えない上面が、円柱部２３１の断面と同じ円形で、見えない下面が、上面の円形と平行でそれより小さい円形になっていて、上面の円形と下面の円形の中心がずれていて、上方から透視すると、下面の円形が上面の円形より、ヒンジ部３側にはみ出している。
【００２７】
蓋をして、円柱部２３１を注出孔１５に挿入すると、この円柱部２３１より折れ曲がって連なった軸ガイド部２３２が、注出孔１５の下端のヒンジ部３側に当たって、封止軸２３が注出孔１５から不用意に抜けないようにロックされる。
【００２８】
軸ガイド部２３２の下の下端部２３３は、円柱形でその先端が半球形になっている。これによって、封止軸２３が注出孔１５に挿入されるのが容易になる。
【００２９】
また、本例では、封止軸２３の円柱部２３１を同一の径でキャップ天板２まで伸びているが、上からキャップ本体１の本体天面板１１の位置まで太くしておき、その太くした部分の下端の下面が蓋をしたときに本体天面板１１の上面に接するようにしても良い。
【００３０】
そして、蓋周壁２２のヒンジ部３と反対側の下端部分に横に飛び出した突起部２４が設けられている。蓋を開けるときに、この突起部２４に指を掛けて上にあげるようにすると容易にキャップを開けることができる。
【００３１】
本例のキャップは、合成樹脂のインジェクション成型により作られている。合成樹脂としては、ポリプロピレンやポリエチレンが用いられている。ポリプロピレンとしては、エチレン分を含むコポリマーが好ましく、ブロックコポリマーでも良いし、ランダムコポリマーでも良い。また、ポリエチレンとしては、低密度ポリエチレン、直鎖状低密度ポリエチレン、あるいは、高密度ポリエチレンを用いることが出来る。
【００３２】
このような合成樹脂を用いてインジェクション成型で製造するので、金型から封止軸２３を抜くときに、円柱部２３１と軸ガイド部２３２が曲がっていても伸ばされて、また、軸ガイド部２３２が下方に向かって細くなっていることもあり、容易に金型から封止軸２３を引き抜くことができる。
【００３３】
また、従来の空洞部を封止軸に設けたキャップでは必要であった空洞部を作る金型部品が、本例のキャップには必要でないので金型が簡素化される。また、空洞部を形成させる金型を抜く動作も必要ないので、成形サイクルも短くすることができる。
【００３４】
その分、コストも抑えられる。また、封止軸２３の円柱部２３１を細くすることができ、注出孔１５の径を小さくすることができる。
【００３５】
図３〜図５は、本発明のキャップの一例の開栓された状態より密封していく状態を模式的に断面で示した説明図である。
【００３６】
本例のキャップを、図２のように、開いた状態から、閉じるには、図２の状態の蓋部材２を、ヒンジ部３を軸として回動させる。このようにすると先ず、図３のように、封止軸２３の下端部２３３が注出孔１５の注出孔ガイド部１５２を通って密封部１５１に入っていく。
【００３７】
このとき、軸ガイド部２３２がヒンジ部３側に傾斜していて、且つ、下端部２３３に向けて細くなっているので、また、下端部２３３の先端が球面になっているので、封止軸２３は注出孔１５に入りやすくなっている。
【００３８】
そして、更に、封止軸２３の軸ガイド部２３２が、図４のように、注出孔１５の密封部１５１を通過していく。このとき、多少、軸ガイド部２３２が、密封部１５１にぶつかっても、前述の合成樹脂で作られているので変形し、挿入していくことができる。
【００３９】
更に挿入していくと、図５のように、封止軸２３の円柱部２３１が、注出孔１５の密封部１５１に入っていこうとする。このとき特に、封止軸２３は注出孔１５に当たって、抵抗が大きくなるが、前記のように、合成樹脂で作られているので変形し、挿入していくことができる。
【００４０】
そして、図１のように、蓋部材２の蓋周壁２２の下端が、キャップ本体１の本体天面板１１に当たるまで蓋部材２を回動させると、封止軸２３の円柱部２３１が、注出孔１５の密封部１５１に挿入され注出孔１５を密封する。
【００４１】
そして、これと同時に、封止軸２３の円柱部２３１より折れ曲がって連設された軸ガイド部２３２が、注出孔１５の下端のヒンジ部３側に当たって、注出孔１５の密封部１５１より封止軸２３の円柱部２３１が抜けないようにロックする。
【００４２】
以上のように、本発明のキャップは、径の小さい注出孔、例えば、径が３ｍｍ以下の注出孔を設けるのに最適である。また、更には、従来、封止軸に空洞部を持たせて、先端部を太くしたキャップでは、困難であった１．３ｍｍ以下の径の注出孔を設けることもできる。
【００４３】
そして、封止軸を注出孔に挿入したとき、スムーズに挿入することができ、挿入後、きちんとロックすることができる。このため、食器用液体洗剤、ローションや化粧水などの化粧品などの容器のキャップとしても好適に使用することができる。
【００４４】
また、成型に当たっては、軸ガイド部が下方に向かって細くなっているので、容易に金型から抜くことができる。更には、封止軸に空洞部を形成させる金型を必要としないので金型構造も簡素化することができる。
【００４５】
また、空洞部を形成させる金型を抜く動作も必要ないので、成形サイクルも短くするこ
とができる。この金型構造の簡素化や、成形サイクルの短縮により製造コストも抑えることができる。
【符号の説明】
【００４６】
１・・・キャップ本体
１１・・・本体天面板
１２・・・本体周壁
１３・・・雌螺子
１４・・・インナーリング
１５・・・注出孔
１５１・・・密封部
１５２・・・注出孔ガイド部
２・・・蓋部材
２１・・・キャップ天板
２２・・・キャップ周壁
２３、２３ａ・・・封止軸
２３１・・・円柱部
２３１ａ・・・封止部分
２３２・・・軸ガイド部
２３３、２３３ａ・・・下端部
２３４・・・空洞部
２４・・・突起部
３・・・ヒンジ部
３ａ・・・三点ヒンジ機構
４・・・容器本体
４１・・・口部
４２・・・雄螺子
【図１】
2015081125.tif 000003
【図２】
2015081125.tif 000004
【図３】
2015081125.tif 000005
【図４】
2015081125.tif 000006
【図５】
2015081125.tif 000007
【図６】
2015081125.tif 000008